Podtech/llm-jp-corpus-v4-ja_patent huggingface dataset:
【手続補正書】
【提出日】平成18年9月22日(2006.9.22)
【手続補正１】
【補正対象書類名】特許請求の範囲
【補正対象項目名】全文
【補正方法】変更
【補正の内容】
【特許請求の範囲】
【請求項１】
情報信号ビットストリーム内に透かしを埋め込む方法であって、
―  情報信号ビットストリームの一部を受信するステップ、
―  受信された前記一部の第１コピーを第１バッファ内に記憶するステップ、
―  受信された前記一部の第２コピーに透かしを入れるステップ、
―  得られる透かしを入れられた信号を、第２バッファ内に記憶するステップ、
―  前記受信された一部のビットレートが、透かしを入れられることによって変更されているかどうかを判断するように、所定の間隔において、チェックを実行するステップ、
―  前記チェックが、前記ビットレートが変更されていると判断する場合に、前記第１バッファから前記受信された一部の前記第１コピーを出力し、そうでない場合には、前記第２バッファから前記透かしを入れられた信号を出力するステップ、
を有する方法。
【請求項２】
前記透かしを入れるステップが、トランスコードによって、前記受信された一部の前記第２コピー内に透かしを埋め込むステップを有する、請求項１に記載の方法。
【請求項３】
前記情報信号が、トランスポートストリーム及びプログラムストリームの少なくとも一方を有する、請求項１に記載の方法。
【請求項４】
前記情報信号ビットストリームが一連のパケットを有し、前記所定の間隔は、前記第１バッファが整数個の前記パケットを受信すること対応している、請求項１に記載の方法。
【請求項５】
前記所定の間隔は、前記ビットストリームの所定の開始コードが、前記第１バッファ内の所定の位置において検出される時である、請求項１に記載の方法。
【請求項６】
前記所定の間隔が、各記憶される信号によって埋められている前記バッファの少なくとも一方に対応している、請求項1に記載の方法。
【請求項７】
請求項１に記載の方法を実行するコンピュータプログラム。
【請求項８】
請求項７に記載のコンピュータプログラムを有する記録担体。
【請求項９】
請求項７に記載のコンピュータプログラムの、ダウンロードを利用可能にする方法。
【請求項１０】
情報信号ビットストリーム内に透かしを埋め込む装置であって、
―  情報信号ビットストリームの一部を受信する受信機、
―  受信された前記一部の第１コピーを記憶する第１バッファ、
―  受信された前記一部の第２コピーに透かしを入れるウォータマーカ、
―  得られる透かしを入れられた信号を記憶する第２バッファ、
―  前記受信された一部のビットレートが、透かしを入れる処理によって変更されているどうかを判断するように、所定の間隔において、チェックを実行するコントローラ、及び
―  前記チェックが、前記ビットレートが変更されていると判断する場合には、前記第１バッファから前記受信された一部の前記第１コピーを出力し、そうでない場合には、前記第２バッファから前記透かしを入れられた信号を出力するステップ、
を有する装置。
【手続補正書】
【提出日】平成18年10月3日(2006.10.3)
【手続補正１】
【補正対象書類名】特許請求の範囲
【補正対象項目名】請求項１
【補正方法】変更
【補正の内容】
【請求項１】
半導体デバイスを製造するための方法であって、該方法は、以下の工程を順に包含する：
半導体基板を供給する工程（該基板は、拡散バリア膜及び金属膜のいずれか一方である第一膜を有し、該第一膜は、前記基板の表面領域の少なくとも一部で露出されている）；
該基板を酸素含有リアクタントに暴露して、該第一膜の露出部分に酸素含有基又は酸素原子の約１の単層の表面終端を生成する工程；及び
酸素含有基又は酸素原子が金属膜と拡散バリア膜との間に架橋を形成するように、拡散バリア膜及び金属膜のうち他方である第二膜を、該基板上へ堆積させる工程。
【手続補正２】
【補正対象書類名】特許請求の範囲
【補正対象項目名】請求項４
【補正方法】変更
【補正の内容】
【請求項４】
半導体デバイスを製造するための方法であって、該方法は以下の工程を順に包含する、：
半導体基板を供給する工程；
ＡＬＤによって、該基板上へ拡散バリアを堆積する工程；
該基板を酸素含有リアクタントに暴露して、拡散バリア上に酸素含有基又は酸素原子の約１の単層の表面終端を生成する工程；及び
該基板上に金属膜を堆積する（ここで、表面終端は拡散バリアと金属膜との間に酸素架橋を形成する）工程。
【手続補正３】
【補正対象書類名】特許請求の範囲
【補正対象項目名】請求項１４
【補正方法】変更
【補正の内容】
【請求項１４】
デュアルダマシン構造を備える半導体デバイスであって、該デュアルダマシン構造が請求項１１に記載の酸素架橋構造を含む、デバイス。
【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
ＳＣＣＯ２と、少なくとも１つのアルコールとを含む洗浄組成物であって、
さらに、
（Ｉ）フッ素源、および必要であればヒドロキシル添加剤、または
（ＩＩ）２−フルオロフェノール
のうち少なくとも１つの成分を含み、
その上に粒子状汚染物質を有する基板から前記粒子状汚染物質を除去するのに有用な、組成物。
【請求項２】
前記アルコールが、少なくとも１つのＣ１〜Ｃ４アルコールを含む、請求項１に記載の組成物。
【請求項３】
前記アルコールが、メタノールを含む、請求項１に記載の組成物。
【請求項４】
前記フッ素源は、フッ化水素(ＨＦ)と、化学式、ＮＲ３（ＨＦ）３のアミン三フッ化水素化合物（式中、各Ｒは、それぞれ独立して、水素および低級アルキルから選択される）と、フッ化水素−ピリジン（ｐｙｒ−ＨＦ）と、化学式、Ｒ４ＦＮのフッ化アンモニウム（式中、各Ｒは、それぞれ独立して、水素および低級アルキルから選択される）と、からなる群から選択される少なくとも１つのフッ素含有化合物を含む、請求項１に記載の組成物。
【請求項５】
成分（Ｉ）を含み、
前記フッ素源が、フッ化アンモニウム（ＮＨ４Ｆ）を含む、請求項１または３に記載の組成物。
【請求項６】
成分（Ｉ）を含み、
ホウ酸と、３−ヒドロキシ−２−ナフトエ酸と、２−フルオロフェノールとからなる群から選択されるヒドロキシル添加剤をさらに含む、請求項１に記載の組成物。
【請求項７】
成分（ＩＩ）を含み、
ホウ酸と、３−ヒドロキシ−２−ナフトエ酸と、２−フルオロフェノールとからなる群から選択されるヒドロキシル添加剤をさらに含む、請求項１に記載の組成物。
【請求項８】
前記アルコールが、前記組成物の総重量に基づいて、約５〜約２０重量％の範囲内の濃度を有する、請求項１に記載の組成物。
【請求項９】
前記フッ素源が、前記洗浄組成物の総重量に基づいて、約０．０１〜約２．０重量％の濃度を有する、請求項１に記載の組成物。
【請求項１０】
成分（Ｉ）を含み、
フッ化アンモニウムと、フッ素化界面活性剤と、ホウ酸とを含む、請求項１に記載の組成物。
【請求項１１】
前記フッ化アンモニウムが、前記洗浄組成物の総重量に基づいて、約０．１〜約２．０重量％の濃度を有する、請求項１０に記載の組成物。
【請求項１２】
成分（Ｉ）を含み、
ＳＣＣＯ２と、メタノールと、フッ化アンモニウムと、ホウ酸とを含む、
請求項１に記載の組成物。
【請求項１３】
前記洗浄組成物の総重量に基づいて、メタノールが約５〜約２０重量％の濃度で存在し、フッ化アンモニウムが約０．０１〜約２．０重量％の濃度で存在し、ホウ酸が約０．０１〜約２．０重量％の濃度で存在する、請求項１２に記載の組成物。
【請求項１４】
フッ素化界面活性剤をさらに含む、請求項１または１２に記載の組成物。
【請求項１５】
粒子状汚染物質をさらに含む、請求項１に記載の組成物。
【請求項１６】
その上に粒子状汚染物質を有する基板から前記粒子状汚染物質を除去する方法であって、
前記基板から前記粒子状汚染物質を除去するのに十分な時間かつ十分な接触条件下で、前記粒子状汚染物質を洗浄組成物に接触させることを含み、
前記洗浄組成物がＳＣＣＯ２とアルコールとを含むとともに、（Ｉ）フッ素源、および必要であればヒドロキシル添加剤、または（ＩＩ）２−フルオロフェノール、のうち少なくとも１つの成分を含み、その上に粒子状汚染物質を有する基板から前記粒子状汚染物質を除去するのに有用な組成物である、方法。
【請求項１７】
前記接触条件は、約１０００〜約７５００ｐｓｉの範囲内の圧力と、約５〜約３０分の範囲内の接触時間とからなる群から選択される、請求項１６に記載の方法。
【請求項１８】
前記アルコールが、メタノールを含む、請求項１６に記載の方法。
【請求項１９】
前記フッ素源が、フッ化水素(ＨＦ)と、化学式、ＮＲ３（ＨＦ）３のアミン三フッ化水素化合物（式中、各Ｒは、それぞれ独立して、水素および低級アルキルから選択される）と、フッ化水素−ピリジン（ｐｙｒ−ＨＦ）と、化学式、Ｒ４ＦＮのフッ化アンモニウム（式中、各Ｒは、それぞれ独立して、水素および低級アルキルから選択される）と、からなる群から選択される少なくとも１つのフッ素含有化合物を含む、請求項１６に記載の方法。
【請求項２０】
前記洗浄組成物が、成分（Ｉ）を含み、
前記フッ素源は、フッ化アンモニウム（ＮＨ４Ｆ）を含む、請求項１６または１８に記載の方法。
【請求項２１】
前記洗浄組成物が、成分（Ｉ）を含むとともに、ホウ酸と、３−ヒドロキシ−２−ナフトエ酸と、２−フルオロフェノールとからなる群から選択されるヒドロキシル添加剤をさらに含む、請求項１６に記載の方法。
【請求項２２】
前記洗浄組成物が、成分（ＩＩ）を含むとともに、ホウ酸と、３−ヒドロキシ−２−ナフトエ酸と、２−フルオロフェノールとからなる群から選択されるヒドロキシル添加剤をさらに含む、請求項１６に記載の方法。
【請求項２３】
前記洗浄組成物が、ＳＣＣＯ２と、メタノールと、フッ化アンモニウムと、ホウ酸とを含む、請求項１６に記載の方法。
【請求項２４】
前記洗浄組成物の総重量に基づいて、メタノールが約５〜約２０重量％の濃度で存在し、フッ化物が約０．０１〜約２．０重量％の濃度で存在し、ホウ酸が約０．０１〜約２．０重量％の濃度で存在する、請求項２３に記載の方法。
【請求項２５】
前記洗浄組成物が、フッ素化界面活性剤をさらに含む、請求項１６または２３に記載の方法。
【請求項２６】
前記接触工程は、（ｉ）前記洗浄組成物を前記粒子状汚染物質に動的フロー接触させることと、（ｉｉ）前記洗浄組成物を前記粒子状汚染物質に静的ソーク接触させることとを含む洗浄サイクルを含む、請求項１６に記載の方法。
【請求項２７】
前記洗浄サイクルが、前記粒子状汚染物質に関して（ｉ）動的フロー接触と（ｉｉ）静的ソーク接触とを交互にかつ繰り返し実行することを含む、請求項２６に記載の方法。
【請求項２８】
前記洗浄サイクルが、（ｉ）動的フロー接触と、（ｉｉ）静的ソーク接触とを順番に実行し、前記順番を３回繰り返すことを含む、請求項２７に記載の方法。
【請求項２９】
１回目の洗浄工程ではＳＣＣＯ２／アルコール洗浄溶液、２回目の洗浄工程ではＳＣＣＯ２により、前記基板を前記粒子状汚染物質が除去された領域において洗浄して、前記１回目の洗浄工程において残留沈殿化学添加物を除去し、前記２回目の洗浄工程において残留沈殿化学添加物および／または残留するアルコールを除去するステップをさらに含む、請求子１６に記載の方法。
【請求項３０】
前記洗浄組成物が、粒子状汚染物質をさらに含む、請求項１６に記載の方法。
【手続補正書】
【提出日】平成18年10月16日(2006.10.16)
【手続補正１】
【補正対象書類名】特許請求の範囲
【補正対象項目名】全文
【補正方法】変更
【補正の内容】
【特許請求の範囲】
【請求項１】
発振信号を生成する方法であって、
基準発振信号から第１の発振信号を生成するステップと、
前記基準発振信号から第２の発振信号を生成するステップと
を具え、
前記第１の発振信号および前記第２の発振信号は、所望の信号に比べて非調和的に関連付けられ、
前記第１の発振信号は、
【数１】
2006505196.tif 000001
と等しく、前記第２の発振信号は、
【数２】
2006505196.tif 000002
と等しく、ただし、ＦＣは、前記所望の搬送波信号であり、
ここで、
【数３】
2006505196.tif 000003
ただし、Ｍ１およびＮ１は、整数であり、
【数４】
2006505196.tif 000004
ただし、Ｋは、整数であり、
【数５】
2006505196.tif 000005
ただし、ＳおよびＲは、整数であることを特徴とする方法。
【請求項２】
前記第２の発振信号とベースバンド信号とを混合して、中間周波数信号を生成するステップと、
前記第１の発振信号に基づいて、変換ループ中の電圧制御発振器の周波数を設定するステップと
をさらに具え、
前記電圧制御発振器の前記周波数は、前記所望の搬送波周波数に一致する
ことを特徴とする請求項１記載の方法。
【請求項３】
前記第１の発振信号および前記第２の発振信号は、単一のフェーズロックドループ装置であることを特徴とする請求項１記載の方法。
【請求項４】
発振信号を生成するためのシステムであって、
基準発振信号を生成するフェーズロックドループユニットと、
前記基準発振信号から第１の発振信号および第２の発振信号を生成する局部発振信号発生器と
を具え、
前記第１の発振信号および前記第２の発振信号は、所望の搬送波周波数に比べて非調和的に関連付けられ、
前記第１の発振信号は、
【数６】
2006505196.tif 000006
と等しく、前記第２の発振信号は、
【数７】
2006505196.tif 000007
と等しく、ただし、ＦＣは、前記所望の搬送波信号であり、
ここで、
【数８】
2006505196.tif 000008
ただし、Ｍ１およびＮ１は、整数であり、
【数９】
2006505196.tif 000009
ただし、Ｋは、整数であり、
【数１０】
2006505196.tif 000010
ただし、ＳおよびＲは、整数であることを特徴とするシステム。
【請求項５】
前記第２の発振信号とベースバンド信号を混合して、中間周波数信号を生成する第１の混合器と、
前記第１の混合器の出力を受け取る変換ループと
をさらに具え、
該変換ループは、
前記第１の発振信号に基づいて設定された周波数を有する電圧制御発振器を含み、該電圧制御発振器の前記周波数は、前記所望の搬送波周波数に一致することを特徴とする請求項４記載のシステム。
【請求項６】
前記変換ループは、
前記電圧制御発振器の出力と前記第１の発振信号を混合して帰還信号を生成する第２の混合器と、
前記帰還信号を前記中間周波数信号と比較して、前記電圧制御発振器を前記所望の搬送波周波数に設定するための制御信号を導出する位相／周波数検出器と
を含むことを特徴とする請求項５記載のシステム。
【請求項７】
前記局部発振信号発生器は、単一のフェーズドロックループ装置から出力される前記基準発振信号から前記第１の発振信号および前記第２の発振信号を生成することを特徴とする請求項４記載のシステム。
【手続補正２】
【補正対象書類名】明細書
【補正対象項目名】００６１
【補正方法】変更
【補正の内容】
【００６１】
これら２つの信号間で周波数が一度一致した後、ＰＦＤ／ＣＰユニットは、フィルタ２８から出力された信号の位相をＩＦ信号の位相と比較する。（ブロック６６）。不一致がある場合、ＰＦＤ／ＣＰユニットは、フィルタ２８から出力された信号の位相が、ＩＦ信号の位相と一致するまでＶＣＯ出力を調整する、差信号を出力する。（ブロック６７）。フィルタ２８の出力の周波数および位相が、ＩＦ信号の同じパラメータと一致したとき、ＶＣＯの周波数は、所望の搬送波周波数ｆｃに設定されることになる。これは、ＶＣＯが、ＦＬＯ１＋ＦＬＯ２＝（２／５＋３／５）ｆｃ＝ｆｃに等しい周波数を出力することを明らかに示す、式（４）から明らかである。その後、ＶＣＯは、送信するために、搬送波周波数による変調ベースバンド信号をアンテナに出力する。（ブロック６８）。
【手続補正書】
【提出日】平成18年7月12日(2006.7.12)
【手続補正１】
【補正対象書類名】特許請求の範囲
【補正対象項目名】全文
【補正方法】変更
【補正の内容】
【特許請求の範囲】
【請求項１】
ディスプレイ基材の上に１つ以上のアドレス可能な第１の電極層を有するディスプレイ基材を提供する工程と、
１つ以上の有機エレクトロルミネセンス層を、前記基材上の前記１つ以上の第１の電極の少なくとも一部の上に形成し、それにより、１つ以上の有機エレクトロルミネセンススタックを画定する工程であって、各スタックが、前記１つ以上の第１の電極層のうちの１つの一部の上の前記１つ以上の有機エレクトロルミネセンス層のうちの１つの一部を含む工程と、
複数の絶縁体を、熱転写ドナーシートから前記１つ以上の有機エレクトロルミネセンス層上に選択的に熱転写し、前記１つ以上の有機エレクトロルミネセンススタックの少なくとも２つの部分を露出したままにする工程と、
前記複数の絶縁体を転写する工程の後、第２の電極を堆積させ、それにより、１つ以上の前記絶縁体によって分離された少なくとも２つの有機エレクトロルミネセンスデバイスを形成する工程とを含む、有機エレクトロルミネセンスデバイスを形成するための方法。
【手続補正書】
【提出日】平成18年9月29日(2006.9.29)
【手続補正１】
【補正対象書類名】特許請求の範囲
【補正対象項目名】全文
【補正方法】変更
【補正の内容】
【特許請求の範囲】
【請求項１】
G タンパク質-結合レセプターのインヒビターを含む過敏症を治療するための医薬組成物、ここで、該インヒビターは、
(a)G タンパク質-結合レセプターのアンタゴニストであり、
(b)実質的にアゴニスト活性はなく、そして
(c)式Iの環状ペプチドまたはペプチド疑似化合物である、
化合物である、
式I
【化１】
2006505556.tif 000001
［式中、Aは、H、アルキル、アリール、NH2、NH-アルキル、N(アルキル)2、NH-アリール、NH-アシル、NH-ベンゾイル、NHSO3、NHSO2-アルキル、NHSO2-アリール、OH、O-アルキル、またはO-アリールであり;
Bは、アルキル、アリール、フェニル、ベンジル、ナフチルまたはインドール基であるか、あるいはD-またはL-アミノ酸の側鎖であるが、グリシン、D-フェニルアラニン、L-ホモフェニルアラニン、L-トリプトファン、L-ホモトリプトファン、L-チロシン、またはL-ホモチロシンの側鎖ではなく；
Cは、D-、L-またはホモ-アミノ酸の側鎖であるが、イソロイシン、フェニルアラニン、またはシクロヘキシルアラニンの側鎖ではなく；
Dは、中性D-アミノ酸の側鎖であるが、グリシンまたはD-アラニンの側鎖、かさ高い平面的側鎖、またはかさ高い荷電性側鎖ではなく；
Eは、かさ高い置換基であるが、D-トリプトファン、L-N-メチルトリプトファン、L-ホモフェニルアラニン、L-2-ナフチルL-テトラヒドロイソキノリン、L-シクロヘキシルアラニン、D-ロイシン、L-フルオレニルアラニン、またはL-ヒスチジンの側鎖ではなく；
Fは、L-アルギニン、L-ホモアルギニン、L-シトルリン、またはL-カナバニンの側鎖、またはそれらのバイオイソスターであり；および
Xは、-(CH2)nNH-または-(CH2)n-S-、ここで、nは1から4の整数である; -(CH2)2O-; -(CH2)3O-; -(CH2)3-; -(CH2)4-; -CH2COCHRNH-; または-CH2CHCOCHRNH-である、ここで、Rは通常または通常でないいずれかのアミノ酸の側鎖である］。
【請求項２】
nが2または3である、請求項１の組成物。
【請求項３】
Aはアセトアミド基、アミノメチル基、または置換または非置換のスルフォンアミド基である、請求項１または２の組成物。
【請求項４】
Aは置換スルフォンアミドであり、その置換基は1から6炭素原子のアルキル鎖、またはフェニルまたはトルイル基である、請求項３の組成物。
【請求項５】
置換基が1から4炭素原子のアルキル鎖である、請求項４の組成物。
【請求項６】
BはL-フェニルアラニンまたはL-フェニルグリシンの側鎖である、請求項１から５の何れかの組成物。
【請求項７】
Cはグリシン、アラニン、ロイシン、バリン、プロリン、ヒドロキシプロリン、またはチオプロリンの側鎖である、請求項１から６の何れかの組成物。
【請求項８】
DはD-ロイシン、D-ホモロイシン、D-シクロヘキシルアラニン、D-ホモシクロヘキシルアラニン、D-バリン、D-ノルロイシン、D-ホモ-ノルロイシン、D-フェニルアラニン、D-テトラヒドロイソキノリン、D-グルタミン、D-グルタミン酸、またはD-チロシンの側鎖である、請求項１から７の何れかの組成物。
【請求項９】
Eは、L-フェニルアラニン、L-トリプトファンおよびL-ホモトリプトファンからなる群から選択されるアミノ酸の側鎖であるか、またはL-1-ナフチルまたはL-3-ベンゾチエニルアラニンである、請求項１から８の何れかの組成物。
【請求項１０】
インヒビターが、C5aRに対してはアンタゴニスト活性を有し、C5aアゴニスト活性は有していない化合物である、請求項１から９の何れかの組成物。
【請求項１１】
インヒビターは、マイクロモル以下の濃度で強力なアンタゴニスト活性を有する、請求項１から１０の何れかの組成物。
【請求項１２】
化合物がレセプター親和性IC50< 25μM、およびアンタゴニスト効力IC50<1μMを有する、請求項１から１１の何れかの組成物。
【請求項１３】
化合物が、PCT/AU02/01427に記載の化合物１から６、１０から１５、１７、１９、２０、２２、２５、２６、２８、３０、３１、３３から３７、３９から４５、４７から５０、５２から５８および６０から７０からなる群から選択される、請求項１から１２の何れかの組成物。
【請求項１４】
化合物が、PCT/AU02/01427に記載のPMX53(化合物1)、化合物33、化合物60または化合物45である、請求項１３の組成物。
【請求項１５】
過敏症の治療用の１以上の他の薬剤と共に使用される、請求項１から１４の何れかの組成物。
【請求項１６】
他の薬剤が、インフリキシマブであるか、またはC3aのインヒビターである、請求項１５の組成物。
【請求項１７】
治療が、過敏症の急性の再発の予防または緩和である、請求項１から１６の何れかの組成物。
【請求項１８】
治療が、過敏症の原発性の発生の予防または緩和である、請求項１から１６の何れかの組成物。
【請求項１９】
過敏症が、II型即時型過敏性(細胞毒性)およびIII型(複合体仲介)即時型過敏性、喘息、湿疹、皮膚炎、アルチュス型反応、糸球体腎炎、過好酸球増加症症候群、および農夫肺からなる群から選択される、請求項１から１７の何れかの組成物。
【請求項２０】
過敏症が湿疹または皮膚炎である、請求項１９の組成物。
【請求項２１】
過敏症が毛嚢虫性疥癬またはノミアレルギーである、請求項２０の組成物。
【請求項２２】
経口的にまたは局所的に投与される、請求項２０の組成物。
【請求項２３】
過敏症が喘息である、請求項１９の組成物。
【請求項２４】
経口的に、鼻腔内的にまたは吸入により投与される、請求項２２の組成物。
【請求項２５】
過敏症の治療用の１以上の他の薬剤と共に使用される、請求項１から２３の何れかの組成物。
【請求項２６】
過敏症の治療用の医薬の製造における、請求項１から１４の何れかの化合物の使用。
【手続補正書】
【提出日】平成18年10月18日(2006.10.18)
【手続補正１】
【補正対象書類名】特許請求の範囲
【補正対象項目名】請求項８
【補正方法】変更
【補正の内容】
【請求項８】
腫瘍細胞の増殖によって引き起こされるかまたは悪化する疾患の治療および予防のための、請求項７に記載の医薬組成物。
【手続補正書】
【提出日】平成18年10月23日(2006.10.23)
【手続補正１】
【補正対象書類名】特許請求の範囲
【補正対象項目名】全文
【補正方法】変更
【補正の内容】
【特許請求の範囲】
【請求項１】
メロキシカム、結合剤、砂糖又は甘味料、キャリア、メロキシカムのメグルミン、ナトリウム、カリウム、又はアンモニウムの塩形成剤、任意に用いてよい香料、及び任意に用いてよい他の賦形剤を含む、水溶性の顆粒。
【請求項２】
前記塩形成剤がメグルミンである、請求項１記載のメロキシカム顆粒。
【請求項３】
前記結合剤が、ヒドロキシプロピル−メチルセルロース、ポリビニルピロリドン、ゼラチン、スターチ、及びポリエチレングリコールエーテルの中から選ばれる、請求項１又は２記載のメロキシカム顆粒。
【請求項４】
前記砂糖又は甘味料が、サッカリンナトリウム、アスパルテーム、及びSunett（登録商標）の中から選ばれる、請求項１〜３のいずれか１項に記載のメロキシカム顆粒。
【請求項５】
前記香料が、バニラ、蜂蜜味、リンゴ味、及びコントラマルムの中から選ばれる、請求項１〜４のいずれか１項に記載のメロキシカム顆粒。
【請求項６】
前記キャリアが、ラクトース、グルコース、マンニトール、キシリトール、スクロース、及びソルビトールの中から選ばれる、請求項１〜５のいずれか１項に記載のメロキシカム顆粒。
【請求項７】
メロキシカムを０．０５〜４％の割合で含む、請求項１〜６のいずれか１項に記載のメロキシカム顆粒。
【請求項８】
メグルミン及びメロキシカムを、モル比率９：８〜１２：８で含む、請求項１〜７のいずれか１項に記載の顆粒。
【請求項９】
メグルミン及びメロキシカムを、モル比率１０：８で含む、請求項１〜８のいずれか１項に記載の顆粒。
【請求項１０】
以下の工程ａ）〜ｃ）が連続的に行われる、請求項１〜９のいずれか１項に記載の顆粒の製造方法。
ａ）結合剤、砂糖又は甘味料、メロキシカム、メグルミン及び／又は香料を含む、水性顆粒形成用液体を製造する工程。
ｂ）５０℃〜８０℃の一定の温度で供給される空気流を用いた上方噴霧流動床法により、キャリア上に前記顆粒形成用液体を噴霧する工程。
ｃ）続いて、上方噴霧流動床法により、結合剤、砂糖又は甘味料及び／又は香料を含む水性顆粒形成用液体をコーティングする工程。
【請求項１１】
前記顆粒形成用液体が、成分を７０℃〜１００℃で加熱、攪拌することにより製造される、請求項１０記載の工程。
【請求項１２】
室温下で専用の包装に保存した場合、２４ヶ月以上の長期間安定性を有する、請求項１〜９のいずれか１項に記載の顆粒。
【請求項１３】
メロキシカム、メグルミン、ヒドロキシプロピルメチルセルロース、ポビドン、及びグルコースモノハイドレートを含む、請求項１〜９又は１２のいずれか１項に記載の顆粒。
【請求項１４】
動物の、痛み、炎症、発熱、及び呼吸器疾患を処置する医薬品組成物を調製するための、請求項１〜９又は１２のいずれか１項に記載のメロキシカム顆粒の使用。
【請求項１５】
活性物質の一回の投与量を体重１キロｇ当たり０．２〜１．０ｍｇの範囲とする、請求項１４に記載のメロキシカム顆粒の使用。
【請求項１６】
飲料水中及び補助飼料として投与する医薬組成物を製造するための、請求項１２又は１３に記載のメロキシカム顆粒の使用。
【手続補正書】
【提出日】平成18年10月6日(2006.10.6)
【手続補正１】
【補正対象書類名】特許請求の範囲
【補正対象項目名】全文
【補正方法】変更
【補正の内容】
【特許請求の範囲】
【請求項１】
バルビツール酸の５位が造影成分で標識された合成バルビツール酸系マトリックスメタロプロテイナーゼ阻害剤を含む造影剤であって、造影成分が該標識合成バルビツール酸系マトリックスメタロプロテイナーゼ阻害剤の哺乳類生体内への投与後に検出できるものであり、該造影成分が以下の（ｉ）〜（vii）から選択される造影剤。
（ｉ）放射性金属イオン、
（ii）常磁性金属イオン、
（iii）ガンマ線放出型放射性ハロゲン、
（iv）陽電子放出型放射性非金属、
（ｖ）過分極ＮＭＲ活性核、
（vi）インビボ光学イメージングに適したレポーター、
（vii）血管内検出に適したβ放射体。
【請求項２】
合成バルビツール酸系マトリックスメタロプロテイナーゼ阻害剤リガンドコンジュゲートが次の式Ｉのものである、請求項１記載の造影剤。
［｛阻害剤｝−（Ａ）n］m−［造影成分］  （Ｉ）
式中、｛阻害剤｝は合成バルビツール酸系マトリックスメタロプロテイナーゼ阻害剤であり、
−（Ａ）n−はリンカー基であって、Ａは独立に−ＣＲ2−、−ＣＲ＝ＣＲ−、−Ｃ≡Ｃ−、−ＣＲ2ＣＯ2−、−ＣＯ2ＣＲ2−、−ＮＲＣＯ−、−ＣＯＮＲ−、−ＮＲ（Ｃ＝Ｏ）ＮＲ−、−ＮＲ（Ｃ＝Ｓ）ＮＲ−、−ＳＯ2ＮＲ−、−ＮＲＳＯ2−、−ＣＲ2ＯＣＲ2−、−ＣＲ2ＳＣＲ2−、−ＣＲ2ＮＲＣＲ2−、Ｃ4-8シクロヘテロアルキレン基、Ｃ4-8シクロアルキレン基、Ｃ5-12アリーレン基又はＣ3-12ヘテロアリーレン基、アミノ酸又は単分散ポリエチレングリコール（ＰＥＧ）構成要素であり、
Ｒは独立にＨ、Ｃ1-4アルキル、Ｃ2-4アルケニル、Ｃ2-4アルキニル、Ｃ1-4アルコキシアルキル又はＣ1-4ヒドロキシアルキルから選択され、
ｎは０〜１０の整数であり、
ｍは１、２又は３である。
【請求項３】
合成バルビツール酸系マトリックスメタロプロテイナーゼ阻害剤がリガンドとコンジュゲートしており、リガンドが放射性金属イオン又は常磁性金属イオンと金属鎖体を形成している、請求項１又は請求項２記載の造影剤。
【請求項４】
放射性金属イオンがガンマ放射体又は陽電子放出体である、請求項３記載の造影剤。
【請求項５】
合成バルビツール酸系マトリックスメタロプロテイナーゼ阻害剤が次の式IVのものである、請求項１乃至請求項４のいずれか１項記載の造影剤。
【化１】
2006505550.tif 000001
式中、Ｒ1はＲ″又はＺ基であり、
Ｒ2はＲ″、Ｙ又は−ＮＲ4Ｒ5であって、Ｒ4はＨ又はＲ″基であり、Ｒ5はＨ、Ｃ2-14アシル、Ｃ2-10アミノアルキル又は（Ｎ−Ｃ2-14アシル）Ｃ2-10アミノアルキル又はＲ″基であり、或いはＲ4とＲ5がそれらと結合したＮ原子と一体として適宜（Ｎ−Ｃ2-14）アシル化Ｃ2-8シクロアミノアルキレン環を形成し、
Ｒ″は独立にＣ1-14アルキル、Ｃ3-8シクロアルキル、Ｃ2-14アルケニル、Ｃ1-14フルオロアルキル、Ｃ1-14パーフルオロアルキル、Ｃ6-14アリール、Ｃ2-14ヘテロアリール又はＣ7-16アルキルアリールであり、
Ｚは基−Ａ1Ｏ［Ａ2Ｏ］pＲ3であって、ｐは０又は１であり、Ａ1及びＡ2は独立にＣ1-10アルキレン、Ｃ3-8シクロアルキレン、Ｃ1-10パーフルオロアルキレン、Ｃ6-10アリーレン又はＣ2-10ヘテロアリーレンであり、Ｒ3はＲ基であって、Ｒは独立にＨ、Ｃ1-4アルキル、Ｃ2-4アルケニル、Ｃ2-4アルキニル、Ｃ1-4アルコキシアルキル又はＣ1-4ヒドロキシアルキルから選択され、
Ｙは次式の基である。
【化２】
2006505550.tif 000002
式中、ＥはＣＲ2、Ｏ、Ｓ又はＮＲ6であり、Ｒ6はＣ2-14アシル又はＲ″もしくはＺ基である。
【請求項６】
次の式Ｖのものである、請求項５記載の造影剤。
【化３】
2006505550.tif 000003
式中、ＥはＣＨＲ又はＮＲ6であり、Ｒ1はＣ6-14ｎ−アルキル又はＣ6-14アリールである。
【請求項７】
請求項１乃至請求項６のいずれか１項記載の造影剤を哺乳類への投与に適した形態の生体適合性担体と共に含んでなる放射性医薬組成物であって、その造影成分が放射性である放射性医薬組成物。
【請求項８】
次の式Ｉｂで表される、合成バルビツール酸系マトリックスメタロプロテイナーゼ阻害剤とリガンドとのコンジュゲートであって、バルビツール酸が５位に置換基を含んでおり、５位置換基が放射性又は常磁性金属イオンと金属鎖体を形成できるリガンドを含む、コンジュゲート。
［｛阻害剤｝−（Ａ）n］m−［リガンド］  （Ｉｂ）
式中、｛阻害剤｝、Ａ、ｎ及びｍは請求項２記載の通り定義される。
【請求項９】
造影成分が放射性金属イオンである請求項７記載の放射性医薬組成物を製造するための前駆体であって、請求項８記載のコンジュゲートを含んでなる前駆体。
【請求項１０】
造影成分が陽電子放出型放射性非金属又はガンマ線放出型放射性ハロゲンである請求項１乃至請求項６のいずれか１項記載の造影剤を哺乳類への投与に適した形態の生体適合性担体と共に含んでなる放射性医薬組成物を製造するためのキットであって、当該キットが、請求項１乃至請求項６のいずれか１項記載のバルビツール酸系マトリックスメタロプロテイナーゼ阻害剤の非放射性誘導体である前駆体を滅菌形態で含んでおり、該非放射性誘導体が陽電子放出型放射性非金属又はガンマ線放出型放射性ハロゲンの原料との反応によって上記放射性医薬を形成できる、キット。
【請求項１１】
アテローム性動脈硬化症の画像診断のための請求項１乃至請求項６のいずれか１項記載の造影剤の使用。
【手続補正書】
【提出日】平成17年11月14日(2005.11.14)
【手続補正１】
【補正対象書類名】特許請求の範囲
【補正対象項目名】全文
【補正方法】変更
【補正の内容】
【特許請求の範囲】
【請求項１】
式：ＨＥＴ−Ｗ−Ｃ(Ｒ１)(Ｒ２)−Ｃ(Ｙ)−Ｎ(Ｒ４Ｒ５)
［式中、
ＨＥＴは、ジ置換１,２,４−トリアゾールまたはジ置換イミダゾールを含み、ここで、
該ＨＥＴの少なくとも１つの置換基は置換アリールであって、そして該置換アリールはＨＥＴの窒素と共有結合し；
Ｗは、Ｏ、Ｓ、Ｓ(Ｏ)、Ｓ(Ｏ)２、ＮＨ、ＮＲ１、またはＣＨ２であり；
Ｒ１およびＲ２は独立して、水素、低級アルキル、低級アルケニル、低級アルキニル、ハロゲン、ＯＨ、ＳＨ、ＮＨ２、Ｎ３、Ｏ−アルキル、またはＣＨ２ＯＨであり；
Ｙは、Ｏ、Ｓ、またはＮＲ３であって、ここで、該Ｒ３は水素、低級アルキル、低級アルケニル、低級アルキニル、ヒドロキシ、またはＯ−アルキルであり；
Ｒ４は、水素、低級アルキル、低級アルケニル、または低級アルキニルであり；そして、
Ｒ５は、場合により更に置換されたオルト−置換フェニルである］
で示される構造式を有する、化合物。
【請求項２】
Ｒ１、Ｒ２、およびＲ４は水素であって、そしてＨＥＴの１個の置換基は場合により低級アルキルまたはハロゲンによって置換される、請求項１記載の化合物。
【請求項３】
ＹはＯである、請求項２記載の化合物。
【請求項４】
式（Ａ）または式（Ｂ）：
【化１】
2006505543.tif 000001
［式中、
Ｒ１は、場合により置換された低級アルキル、またはハロゲンであり；
Ｒ２は、モノ置換フェニル、ジ置換フェニル、トリ置換フェニル、モノ置換ナフチル、ジ置換ナフチル、トリ置換ナフチル、モノ置換キノリン、ジ置換キノリン、トリ置換キノリン、モノ置換イソキノリン、ジ置換イソキノリン、およびトリ置換イソキノリンからなる群から選ばれ；
Ｒ３、Ｒ４およびＲ５は独立して、水素、ハロゲン、場合により置換されたアルキル、Ｓ−アルキル、ＣＦ３、ヘテロ環、ＮＲ’Ｒ’’、Ｓ(Ｏ)２Ｒ’、またはＣ(Ｏ)Ｒ’であって、ここで、
該Ｒ’および該Ｒ’’は独立して、ＮＨ２、ＮＨアルキル、ＮＨアシル、Ｎアルキルアシル、Ｎ(アルキル)２、Ｏ−アルキル、アシル、アリール、アルキル、またはヘテロ環であるか、あるいは、該Ｒ’および該Ｒ’’は環を形成する］
で示される構造式を有する、請求項１記載の化合物。
【請求項５】
Ｒ２のフェニル、ナフチル、キノリン、またはイソキノリン環の置換基の少なくとも１個は、場合により置換された低級アルキル、ＣＦ３、低級アルコキシ、ハロゲン、またはＮＲ’Ｒ’’であり、ここで該Ｒ’および該Ｒ’’は各々独立して、Ｈまたは低級アルキルである、請求項４記載の化合物。
【請求項６】
Ｒ４およびＲ５の少なくとも１個は水素でない、請求項４または５のいずれかに記載の化合物。
【請求項７】
ＨＩＶ感染患者を処置するための医薬組成物であって、治療学的に有効な量の式（Ａ）または式（Ｂ）：
【化２】
2006505543.tif 000002
［式中、
Ｒ１は、場合により置換された低級アルキル、ハロゲン、またはＣＦ３であり；
Ｒ２は、場合により置換されたシクロアルキル、場合により置換されたアリール、場合により置換されたキノリン、または場合により置換されたイソキノリンであり；
Ｒ３、Ｒ４およびＲ５は独立して、水素、ハロゲン、場合により置換されたアルキル、Ｓ−アルキル、ＣＦ３、ヘテロ環、ＮＲ’Ｒ’’、Ｓ(Ｏ)２Ｒ’、またはＣ(Ｏ)Ｒ’であって、ここで、
該Ｒ’および該Ｒ’’は独立して、ＮＨ２、ＮＨアルキル、ＮＨアシル、Ｎアルキルアシル、Ｎ(アルキル)２、Ｏ−アルキル、アシル、アリール、アルキル、またはヘテロ環であるか、あるいは、該Ｒ’および該Ｒ’’は環を形成する］
で示される化合物、および医薬的に許容し得る担体を含有する、該医薬組成物。
【請求項８】
Ｒ１は、場合により置換された低級アルキル、またはハロゲンであり；
Ｒ２は、モノ置換フェニル、ジ置換フェニル、トリ置換フェニル、モノ置換ナフチル、ジ置換ナフチル、トリ置換ナフチル、モノ置換キノリン、ジ置換キノリン、トリ置換キノリン、モノ置換イソキノリン、ジ置換イソキノリン、およびトリ置換イソキノリンからなる群から選ばれ；
Ｒ３、Ｒ４およびＲ５は独立して、水素、ハロゲン、場合により置換されたアルキル、Ｓ−アルキル、ＣＦ３、ヘテロ環、ＮＲ’Ｒ’’、Ｓ(Ｏ)２Ｒ’、またはＣ(Ｏ)Ｒ’であって、ここで、
該Ｒ’および該Ｒ’’は独立して、ＮＨ２、ＮＨアルキル、ＮＨアシル、Ｎアルキルアシル、Ｎ(アルキル)２、Ｏ−アルキル、アシル、アリール、アルキル、またはヘテロ環であるか、あるいは、該Ｒ’および該Ｒ’’は環を形成する］
である、請求項７記載の医薬組成物。
【請求項９】
Ｒ２のフェニル、ナフチル、キノリン、またはイソキノリン環の置換基の少なくとも１個は、場合により置換された低級アルキル、ＣＦ３、低級アルコキシ、ハロゲン、またはＮＲ’Ｒ’’であり、ここで、該Ｒ’および該Ｒ’’は各々独立して、Ｈまたは低級アルキルである、請求項８記載の医薬組成物。
【請求項１０】
Ｒ４およびＲ５の少なくとも１個は水素でない、請求項８または９のいずれかに記載の医薬組成物。
【手続補正書】
【提出日】平成18年10月5日(2006.10.5)
【手続補正１】
【補正対象書類名】明細書
【補正対象項目名】０１０９
【補正方法】変更
【補正の内容】
【０１０９】
要約すると、本発明の医薬組成物およびキットは、以下の薬物の組み合わせを有しうる。
(i)ＥＧＦ受容体の異なるエピトープに対する２つの異なるモノクローナル抗体(ＭＡｂ)、その断片またはその免疫複合体(好ましくは免疫サイトカイン)
(ii)ＥＧＦ受容体の異なるエピトープにそれぞれ対するＭＡｂ４２５およびＭＡｂ２２５、またはその断片もしくはその免疫複合体(好ましくは免疫サイトカイン)
(iii)ＥＧＦ受容体の異なるエピトープにそれぞれ対するヒト化ＭＡｂ４２５およびキメラ２２５、またはその断片もしくはその免疫複合体(好ましくは免疫サイトカイン)
(iv)１つまたは複数の細胞傷害剤と組み合わせた(i)から(iii)
(v)１つまたは複数の化学療法剤、好ましくはシスプラチン、ゲムシタビンまたはタキソールと組み合わせた、具体的にはマウス、キメラまたはヒト化版のＭＡｂ４２５およびＭＡｂ２２５、またはその断片もしくはその免疫複合体(好ましくは免疫サイトカイン)である(i)から(iii)
(vi)別のＥｒｂＢ拮抗薬と組み合わせた、具体的にはマウス、キメラまたはヒト化版のＭＡｂ４２５およびＭＡｂ２２５、またはその断片もしくはその免疫複合体(好ましくは免疫サイトカイン)である(i)から(iii)
(vii)ＥｒｂＢ２に対する抗体、好ましくはHerceptin(登録商標)、またはＥｒｂＢ−３、ＥｒｂＢー４に対する抗体と組み合わせた、具体的にはマウス、キメラまたはヒト化版のＭＡｂ４２５およびＭＡｂ２２５、またはその断片もしくはその免疫複合体(好ましくは免疫サイトカイン)である(i)から（iii）
(viii)以下の群から選択される薬物と組み合わせた、具体的にはマウス、キメラまたはヒト化版のＭＡｂ４２５およびＭＡｂ２２５、またはその断片もしくはその免疫複合体(好ましくは免疫サイトカイン)である(i)から(iii)
・Iressa(登録商標)のようなチロシンキナーゼ阻害剤、
・抗血管新生剤、好ましくはインテグリン阻害剤、さらに好ましくはシクロ−(Ａｒｇ−Ｇｌｙ−Ａｓｐ−ＤＰｈｅ−ＮＭｅＶａｌ)(Cilengitide(登録商標)、メルクＫＧａＡ)のような環状ペプチドを含めたＲＧＤペプチド、
・ＤＣ−101またはＶＥＧＦ拮抗薬のような抗ＶＥＧＦ受容体抗体、
・ＣＯＸ−II阻害剤、
・ＴＮＦ−α、ＩＦＮ−α、ＩＦＮ−β、ＩＦＮ−γ、ＩＬ−２のようなサイトカイン、
・ＨＹＢ165を例とする混合バックボーンアンチセンスオリゴヌクレオチドのようなＩ型プロテインキナーゼＡ(ＰＫＡＩ)阻害剤（例えばTortoraら、1999、Clin.Cancer Res.、875〜881参照）、
・ゴセレリン、ボセレリン、ロイプロレイン、タモキシフェンのような抗ホルモン剤。
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
（ａ） 膜形成性の水溶性重合体；
（ｂ） 酸不溶性重合体；および
（ｃ） アルカリ性水性溶液；および
任意成分として（ｄ） 少なくとも一種の可塑剤；および
任意成分として（ｅ） 着色剤
を含有するゲル材料組成物であって、前記ゲル材料の最終ｐＨが約９ｐＨ単位以下である、ゲル材料組成物。
【請求項２】
前記膜形成性の水溶性重合体がタンパク質性である、請求項１記載のゲル材料組成物。
【請求項３】
前記タンパク質性の膜形成性の水溶性重合体がゼラチンである、請求項２記載のゲル材料組成物。
【請求項４】
前記ゼラチンが動物の骨または皮膚から抽出されており、約１００から約２５０ブルームを有する、請求項３記載のゲル材料組成物。
【請求項５】
前記膜形成性の水溶性重合体が炭化水素である、請求項１記載のゲル材料組成物。
【請求項６】
前記炭化水素が、ヒドロキシプロピルメチルセルロースおよびメチルセルロースからなる群より選択されている、請求項５記載のゲル材料組成物。
【請求項７】
前記膜形成性の水溶性重合体が、アクリル酸−メタクリル酸共重合体、及びセルロースアセテートエステルからなる群より選択されている、請求項１記載のゲル材料組成物。
【請求項８】
前記膜形成性の水溶性重合体が、フタレート、ブチレート、ヒドロキシプロピルメチルセルロースフタレート、およびこれらの塩類からなる群より選択されるセルロースアセテートエステルである、請求項７記載のゲル材料組成物。
【請求項９】
更に、ソルビトール、グリセリン、ポリエチレングリコール、炭素数３〜６個のポリアルコール、クエン酸、クエン酸エステル、クエン酸トリエチルおよびこれらの組み合わせからなる群より選ばれた少なくとも一種の可塑剤を含有する、請求項１記載のゲル材料組成物。
【請求項１０】
前記アルカリ性水性溶液が、アンモニア、水酸化ナトリウム、水酸化カリウム、エチレンジアミン、ヒドロキシルアミンおよびトリエタノールアミンからなる群より選ばれたアルカリを含有する、請求項１記載のゲル材料組成物。
【請求項１１】
前記アルカリ性水溶液が揮発性アルカリを含有する、請求項１記載のゲル材料組成物。
【請求項１２】
前記揮発性アルカリが、アンモニアおよびエチレンジアミンからなる群より選択されている、請求項１１記載のゲル材料組成物。
【請求項１３】
前記アルカリ水溶液がヒドロアルコール性溶液である、請求項１記載のゲル材料組成物。
【請求項１４】
前記ゲル材料の最終ｐＨが約８．５以下である、請求項１記載のゲル材料組成物。
【請求項１５】
前記ゲル材料組成物が、約２％から約１０％の水分含量を有する腸溶性ソフトカプセルシェルを生成することができる、請求項１記載のゲル材料組成物。
【請求項１６】
前記水分含量が約４％から約８％である、請求項１５記載のゲル材料組成物。
【請求項１７】
前記水分含量が約８％である、請求項１５記載のゲル材料組成物。
【請求項１８】
酸不溶性重合体の膜形成性重合体に対する比率が重量比で約２０：８０から約４５：５５である、請求項１記載のゲル材料組成物。
【請求項１９】
可塑剤を含有しており、可塑剤の膜形成性の水溶性重合体に対する比率が重量比で約１：９から約１：１である、請求項１記載のゲル材料組成物。
【請求項２０】
可塑剤の膜形成性の水溶性重合体に対する比率が重量比で約1：3である、請求項１９記載のゲル材料組成物。
【請求項２１】
（ａ） 膜形成性の水溶性重合体、
（ｂ） 酸不溶性重合体；および
（ｃ） アルカリ性水性溶媒
を含有するゲル材料組成物から形成した腸溶性ソフトカプセルシェルであって、
酸不溶性重合体の膜形成性重合体に対する比率が重量比で約２０：８０から約４５：５５であり、前記ゲル材料の最終ｐＨが約９ｐＨ単位以下であり、前記ゲル材料組成物から形成した前記腸溶性ソフトカプセルシェルの水分含量が約２％から約１０％である、腸溶性ソフトカプセルシェル。
【請求項２２】
シェル組成物からソフトカプセルを製造する方法であって、
（ａ） 膜形成性の水溶性重合体および酸不溶性重合体を含有する溶液を調製し、適当な可塑剤と混合してゲル材料を生成させ；
（ｂ） このゲル材料を、熱制御されたドラムまたは面を使用して膜またはリボンへとキャスティングし；
（ｃ） 回転ダイ技術を使用してソフトカプセルを形成する方法。
【請求項２３】
前記膜またはリボンの厚さが約０．０１５インチ（０．０３８ｃｍ）から約０．０５０インチ（０．１２７ｃｍ）である、請求項２２記載の方法。
【請求項２４】
前記膜またはリボンの厚さが約０．０２０インチ（０．０５１ｃｍ）である、請求項２２記載の方法。
【手続補正書】
【提出日】平成18年6月12日(2006.6.12)
【手続補正１】
【補正対象書類名】特許請求の範囲
【補正対象項目名】全文
【補正方法】変更
【補正の内容】
【特許請求の範囲】
【請求項１】
テトラメチロールアセチレンジウレア（ＴＭＡＤ）および１，２−ベンズイソチアゾリノン（ＢＩＴ）および／またはそのナトリウム塩、カリウム塩またはリチウム塩を含有することを特徴とする殺生物性活性化合物の混合物。
【請求項２】
請求項１記載の活性化合物混合物および溶剤または溶剤混合物、エキステンダー、界面活性剤および場合により他の抗菌性活性化合物の群からの少なくとも１種の助剤を含有する殺微生物剤。
【請求項３】
微生物による攻撃および／または破壊に対して工業的材料を保護するための請求項１記載の混合物の使用。
【請求項４】
工業的材料を請求項１記載の混合物で処理するかまたは前記混合物と混合することを特徴とする微生物による攻撃および／または破壊に対して工業的材料を保護する方法。
【請求項５】
請求項１記載の混合物を製造する方法において、個々の成分を、場合により溶剤または溶剤混合物、エキステンダー、界面活性剤および他の抗菌性活性化合物を添加して混合することを特徴とする混合物の製造方法。
【請求項６】
請求項１記載の活性化合物混合物を含有する工業的材料。
【手続補正書】
【提出日】平成18年10月25日(2006.10.25)
【手続補正１】
【補正対象書類名】特許請求の範囲
【補正対象項目名】全文
【補正方法】変更
【補正の内容】
【特許請求の範囲】
【請求項１】
タンパク質結合トリプトファンを含有する起源植物からの粉末と、該粉末用の生理学的に許容される稀釈剤又は担体とからなる、哺乳動物の性的欲求及び機能を増大させるのに使用するための組成物。
【請求項２】
上記粉末は少なくとも部分的に脱脂されておりかつ上記起源植物より高いトリプトファン源を有する、請求項１に記載の組成物。
【請求項３】
高いグリセミック指数を有する炭水化物源を更に含有する、請求項１又は２に記載の組成物。
【請求項４】
起源植物は種子である、請求項１〜３のいずれか一つに記載の組成物。
【請求項５】
前記種子は、バターナットスカッシュ種子、コショウスカッシュ種子、カボチャ種子、ヒラマメ種子、ヒマワリ種子、アマ種子、スイカ種子、シシムブリウム種子、綿種子、ゴマ種子、カノラ種子、マツヨイグサ種子、サフラワー種子、アルファルファ種子、オオムギ、ダイズ及びこれらの組合せから選ばれる、請求項１〜４のいずれか一つに記載の組成物。
【請求項６】
起源植物は、海藻、ケルプ及びアルファルファ種子から選ばれる、請求項１〜５のいずれか一つに記載の組成物。
【請求項７】
炭水化物源はグルコース、マルトース、スクロース及びこれらの組合せから選ばれる、請求項３〜６のいずれか一つに記載の組成物。
【請求項８】
前記組成物はビタミンB3、B6及びこれらの組合せからなる群から選ばれたビタミンを、血液/脳関門を横断するトリプトファンの吸収を増大させるのに十分な量で更に含有する、請求項１〜７のいずれか一つに記載の組成物。
【請求項９】
前記組成物は錠剤、粉末、懸濁液、液体、カプセル又はゲルの形である、請求項１〜８のいずれか一つに記載の組成物。
【請求項１０】
前記組成物は食物補充剤の形である、請求項１〜９のいずれか一つに記載の組成物。
【請求項１１】
前記食物補充剤は棒状である、請求項１０に記載の組成物。
【請求項１２】
前記組成物は、少なくとも部分的に脱脂されたタンパク質結合トリプトファンを含有するバターナットスカッシュ種子粉末を、トリプトファンの量が約25mg〜約1000mgになる量で含有し、更に、約25mg〜約200mgのグルコース及び生理学的に許容される稀釈剤又は担体を含有している、請求項２〜１１のいずれか一つに記載の組成物。
【請求項１３】
前記組成物は、少なくとも部分的に脱脂されたタンパク質結合トリプトファンを含有するバターナットスカッシュ種子粉末を、約25mg〜約50mgのトリプトファンを提供する量で含有し、更に、約75mg〜約100mgのグルコース及び生理学的に許容される稀釈剤又は担体を含有している、請求項２〜１１のいずれか一つに記載の組成物。
【請求項１４】
前記組成物は、少なくとも部分的に脱脂されたタンパク質結合トリプトファンを含有するバターナットスカッシュ種子粉末を、約25mg〜約50mgのトリプトファンを提供する量で含有し、更に、約75mg〜約100mgのグルコース及び生理学的に許容される稀釈剤又は担体を含有している、請求項３〜１１のいずれか一つに記載の組成物。
【請求項１５】
前記組成物は、約５mg〜50mgのビタミンB3、約0.5mg〜約50mgのビタミンB6及びこれらの組合せを更に含有している、請求項１〜１４のいずれか一つに記載の組成物。